(57)【要約】【課題】玉掛けが容易で、かつ、吊り荷に対して押したり、引いたり等、種々の使用ができる、製造の容易な吊り荷用操作棒を提供する。【解決手段】棒状本体１の一端の、一方の側に、円弧鉤型のフック部２が設けられ、他方の側に、棒状本体１に対して直角に張り出した断面Ｌ字型のＬ鉤部３が設けられ、当該Ｌ鉤部３は前記フック部２の背部より棒状本体１の中央部側にずれており、これにより前記フック部２の背部とＬ鉤部３とで鉤型空間部４が形成され、前記棒状本体１の他端に磁石部６が設けられ、当該磁石部６は一端が棒状本体１に、他端が磁石部６に接続された鎖状部が設けられている。【選択図】        図１
0003234150.tif 000002
【実用新案登録請求の範囲】
【請求項１】
棒状本体の一端の、一方の側に、円弧鉤型のフック部が設けられ、他方の側に、棒状本体に対して直角に張り出した断面Ｌ字型のＬ鉤部が設けられ、
当該Ｌ鉤部は前記フック部の背部より棒状本体の中央部側にずれており、これにより前記フック部の背部とＬ鉤部とで鉤型空間部が形成され、
前記棒状本体の他端に磁石部が設けられ、当該磁石部は一端が棒状本体に、他端が磁石部に接続された鎖状部が設けられたことを特徴とする、吊り荷用操作棒。
【請求項２】
前記Ｌ鉤部の、前記鉤型空間部に面した一側面に緩衝材が設けられていることを特徴とする、請求項１に記載の吊り荷用操作棒。
【請求項３】
前記棒状本体の両端部の外周には握り部が夫々設けられていることを特徴とする、請求項１又は２に記載の吊り荷用操作棒。
【考案の詳細な説明】
【技術分野】
【０００１】
この考案は、クレーン等のフックへの玉掛けの際やクレーン等で吊るした荷物を適宜物へ下ろす際、その位置を調整したり、吊るされた荷物の揺れを抑えたりするため等に使用する操作棒に関するものである。
【背景技術】
【０００２】
この種の操作棒は、長尺な棒状本体の先端に鉤型のフックが取り付けられ、作業者はこの棒本体の基端部を持って、先端のフックで玉掛けのロープをクレーンのフックに引っ掛けたり、吊り荷の突起部やロープにフックを引っかけて荷物を引っ張たりして動かしている。
【０００３】
特許文献１のものはその一つであり、細長い軸部の先端の一方側に、Ｌ字状のＬ鉤部を有し、他方側に円弧鉤部が形成され、そのＬ鉤部は軸部に直交する水平部とその水平部から軸部の先端方向に直交して延びる垂直部とを有し、円弧鉤部は円弧の中心が軸部の手元側に向けられ、Ｌ鉤部の軸部との付け根と円弧鉤部の軸部との付け根の間に、前記手元側に凹陥するワイヤ保持用の楔状凹部が形成され、円弧鉤部の頂部と、Ｌ鉤部の水平部とが面一に配置された玉掛け手鉤棒である。
【先行技術文献】
【特許文献】
【０００４】
【特許文献１】特許第６７７６０２６号公報
【考案の開示】
【考案が解決しようとする課題】
【０００５】
上記特許文献１のものは、円弧鉤部で玉掛けができ、また、Ｌ鉤部で吊り荷を押したり引いたりできるが、吊り荷が大きく、手鉤棒の先端が吊り荷の反対側の角部にＬ鉤部が届かない場合は、当該手鉤棒で吊り荷を手前に引っ張ることはできない。
【０００６】
この考案は、上記の点に着目し、玉掛けが容易で、かつ、吊り荷に対して押したり、引いたり等、種々の使用ができる、製造の容易な吊り荷用操作棒を提供することを目的としたものである。
【課題を解決するための手段】
【０００７】
請求項１の考案は、棒状本体の一端の、一方の側に円弧鉤型のフック部が設けられ、他方の側に棒状本体に対して直角に張り出した断面Ｌ字型のＬ鉤部が設けられ、当該Ｌ鉤部は前記フック部の背部より棒状本体の中央部側にずれており、これにより前記フック部の背部とＬ鉤部とで鉤型空間部が形成され、前記棒状本体の他端に磁石部が設けられ、当該磁石部は一端が棒状本体に、他端が磁石部に接続された鎖状部が設けられた、吊り荷用操作棒とした。
【０００８】
また、請求項２の考案は、前記Ｌ鉤部の、前記鉤型空間部に面した一側面に緩衝材が設けられた、請求項１に記載の吊り荷用操作棒とした。
【０００９】
また、請求項３の考案は、前記棒状本体の両端部の外周には握り部が夫々設けられた、請求項１又は２に記載の吊り荷用操作棒とした。
【考案の効果】
【００１０】
請求項１の考案によれば、棒状本体の一端の円弧鉤型のフック部により、玉掛けに使用できるとともに、吊り荷の角部にフック部の背部とＬ鉤部により形成された鉤型空間部を当てて押すことができ、また、棒状本体の他端の磁石部を鋼製の吊り荷の一面に吸着させて当該吊り荷を手前に引き寄せることが出来る。このように種々の使用が可能である。しかも、前記鉤型空間部はフック部の背面を利用し、断面Ｌ型のＬ鉤部材により形成しているため、構成が簡単であり、容易に製造できる。
【００１１】
また、請求項２の考案によれば、Ｌ鉤部の一側面に緩衝材を設けているため、前記フック部の背部とＬ鉤部とで吊り荷の角部に当てて吊り荷を押す場合、吊り荷の押圧部に前記緩衝材が当たるため、吊り荷を傷つける恐れがない。
【００１２】
また、請求項３の考案によれば、長尺な棒状本体の両端部に握り部があるため、作業者は各握り部を握って操作でき、手が滑る恐れがなく操作が容易である。
【図面の簡単な説明】
【００１３】
【図１】この考案の実施の形態例１の吊り荷用操作棒の正面図である。
【図２】この考案の実施の形態例１の吊り荷用操作棒の一端部の拡大正面図である。
【図３】この考案の実施の形態例１の吊り荷用操作棒の他端部の拡大正面図である。
【図４】この考案の実施の形態例１の吊り荷用操作棒の他端部の拡大斜視図である。
【図５】この考案の実施の形態例１の吊り荷用操作棒のフック部を用いた使用状態を示す斜視図である。
【図６】この考案の実施の形態例１の吊り荷用操作棒のＬ鉤部とフック部の背部を用いた使用状態を示す正面図である。
【図７】この考案の実施の形態例１の吊り荷用操作棒の磁石部を用いた使用状態を示す正面図である。
【考案を実施するための形態】
【００１４】
（実施の形態例１）
この考案の実施の形態例１の吊り荷用操作棒Ａを図１〜図４に基づいて説明する。
【００１５】
この吊り荷用操作棒Ａは、図１に示すように、長尺な棒状本体１の一端の、一方の側に円弧鉤型のフック部２が設けられ、他方の側に棒状本体１に対して直角に張り出した断面Ｌ字型のＬ鉤部３が設けられ、当該Ｌ鉤部３は前記フック部２の背部より棒状本体１の中央部側にずれており、これにより、Ｌ鉤部３と前記フック部２の背部とで鉤型空間部４が形成されている。
【００１６】
また、前記鉤型空間部４を構成するＬ鉤部３の一側面には緩衝材５が取り付けられている。また、前記棒状本体１の他端には、磁石部６が設けられている。
【００１７】
この磁石部６は、棒状本体１の端部に回転自在に第１シャックル７が接続され、当該第１シャックル７に第２シャックル８が接続され、当該第２シャックル８に前記磁石部６が接続されており、当該磁石部６は棒状本体１に対して、鎖状部を介してユニバーサル状に接続された構成となっている。
【００１８】
また、前記棒状本体１の両端部の外周には、緩衝材からなる握り部９、９が夫々設けられている。この握り部９の大きさ、個数は任意であり、作業者が棒状本体１を手で持って作業する際、手が滑らず操作が容易となる。
【００１９】
この吊り荷用操作棒Ａは以上の構成であり、そのフック部２により、従来から行われている玉掛け作業に使用できる。また、図５に示すように、吊り荷１０の突起物１１にフック部２を引っ掛け、作業者が棒状本体１を手でもって動かすことにより吊り荷１０水平方向に移動させることが出来る。
【００２０】
また、図６に示すように、フック部２の背部とＬ鉤部３から成る鉤型空間部４を吊り荷１０の角部に当接させて、作業者が棒状本体１を押すことにより、吊り荷１０を移動させることができる。その際緩衝材５が吊り荷１０の押圧部に当たり、吊り荷１０を傷つける恐れがない。
【００２１】
また、図７に示すように、吊り荷１０の外周面が鋼板から成るものの場合、当該吊り荷用操作棒Ａの他端の磁石部６を前記吊り荷１０の外周面に磁力により吸着させて、吊り荷１０に磁石部６を固定し、作業者は棒状本体１を手でもって手前に引っ張ることにより、吊り荷１０は水平移動させることが出来る。その際、磁石部６は第１シャックル７と第２シャックル８とを組み合わせて棒状本体１に接続されているため、鎖のようにどの方向にも曲がり、吊り荷１０に吸着しやすい。
【００２２】
上記実施の形態例１では、Ｌ鉤部３に緩衝材５を設けているが、この緩衝材５はこの考案の必須要件ではない。また、握り部９も必須要件ではない。
【００２３】
更に、上記実施の形態例１では、磁石部６は第１シャックル７と第２シャックル８により棒状本体１と接続しているが、これに限らず、鎖状に棒状本体１に連結されていてもよい。
【符号の説明】
【００２４】
Ａ        吊り荷用操作棒
１        棒状本体                  ２      フック部
３        Ｌ鉤部                    ４      鉤型部
５        緩衝材                    ６      磁石部  
７        第１シャックル            ８      第２シャックル
９        握り部                    １０    吊り荷
１１      突起物
【図１】
0003234150.tif 000003
【図２】
0003234150.tif 000004
【図３】
0003234150.tif 000005
【図４】
0003234150.tif 000006
【図５】
0003234150.tif 000007
【図６】
0003234150.tif 000008
【図７】
0003234150.tif 000009